(57)【要約】【課題】登録時間を短縮すること，イベント毎に掲載期間の設定を可能にすること，さらには，掲載期間等の日時情報を修正することの可能な電子掲示板システムを提供する。【解決手段】電子掲示板システム１００において，掲載情報を自動的にカテゴリ別に分類するカテゴリ分類部２２と掲載情報のカテゴリ分類パターンを記憶するカテゴリ分類パターン記憶部３１を備えることにより，カテゴリの自動振り分けが可能になり登録時間の短縮が可能となる。また，日時等の抽出情報を自動的に抽出する情報抽出部２３と日時等の抽出パターンを記憶する抽出パターン記憶部手段３２を備えることにより，掲載期間を抽出可能になり，イベント毎に掲載期間の設定が可能となる。さらに，抽出情報更新部２４を設けることにより，情報抽出部２３が誤って検出した掲載期間等の日時情報を修正することが可能となる。【選択図】  図１
2004272539.tif 000002
【特許請求の範囲】
【請求項１】
電子掲示板システムにおいて，
掲載情報を取得する情報取得手段と，
掲載情報を自動的にカテゴリ別に分類するカテゴリ分類手段と，
掲載情報のカテゴリ分類パターンを記憶するカテゴリ分類パターン記憶手段と，
掲載情報から抽出した抽出情報を記憶する抽出情報記憶手段と，
前記抽出情報記憶手段に記憶された掲載期間を参照し，必要な掲載情報を選択する情報選択手段と，
を備えたことを特徴とする，電子掲示板システム。
【請求項２】
前記掲載情報の全文を記憶する全文情報記憶手段をさらに備えたことを特徴とする，請求項１に記載の電子掲示板システム。
【請求項３】
前記掲載情報の登録，修正，削除を電子メールにより行うための電子メールの送受信手段をさらに備えたことを特徴とする，請求項１または２に記載の電子掲示板システム。
【請求項４】
電子掲示板システムにおいて，
掲載情報を取得する情報取得手段と，
日時等の抽出情報を自動的に抽出する情報抽出手段と，
日時等の抽出パターンを記憶する抽出パターン記憶手段と，
掲載情報から抽出した抽出情報を記憶する抽出情報記憶手段と，
抽出情報記憶手段に記憶された掲載期間を参照し，必要な掲載情報を選択する情報選択手段と，
を備えたことを特徴とする，電子掲示板システム。
【請求項５】
前記情報抽出手段が抽出した抽出情報を更新する抽出情報更新手段と，
前記抽出情報の更新要求を受信する要求受信手段と，
前記抽出情報の更新結果を送信する要求送信手段と，
をさらに備えたことを特徴とする，請求項４に記載の電子掲示板システム。
【請求項６】
前記掲載情報の全文を記憶する全文情報記憶手段をさらに備えたことを特徴とする，請求項４または５に記載の電子掲示板システム。
【請求項７】
前記掲載情報の登録，修正，削除を電子メールにより行うための電子メールの送受信手段をさらに備えたことを特徴とする，請求項４，５または６のいずれかに記載の電子掲示板システム。
【請求項８】
電子掲示板システムにおいて，
掲載情報を取得する情報取得手段と，
掲載情報を自動的にカテゴリ別に分類するカテゴリ分類手段と，
掲載情報のカテゴリ分類パターンを記憶するカテゴリ分類パターン記憶手段と，
日時等の抽出情報を自動的に抽出する情報抽出手段と，
日時等の抽出パターンを記憶する抽出パターン記憶手段と，
掲載情報から抽出した抽出情報を記憶する抽出情報記憶手段と，
抽出情報記憶手段に記憶された掲載期間を参照し，必要な掲載情報を選択する情報選択手段と，
を備えたことを特徴とする，電子掲示板システム。
【請求項９】
前記情報抽出手段が抽出した抽出情報を更新する抽出情報更新手段と，
前記抽出情報の更新要求を受信する要求受信手段と，
前記抽出情報の更新結果を送信する要求送信手段と，
をさらに備えたことを特徴とする，請求項８に記載の電子掲示板システム。
【請求項１０】
前記掲載情報の全文を記憶する全文情報記憶手段をさらに備えたことを特徴とする，請求項８または９に記載の電子掲示板システム。
【請求項１１】
前記掲載情報の登録，修正，削除を電子メールにより行うための電子メールの送受信手段をさらに備えたことを特徴とする，請求項８，９または１０のいずれかに記載の電子掲示板システム。
【発明の詳細な説明】
【０００１】
【発明の属する技術分野】
本発明は，電子メールを介して掲載情報を取得する電子掲示板システムに関するものである。
【０００２】
【従来の技術】
現在，ＷＷＷ（Ｗｏｒｌｄ  Ｗｉｄｅ  Ｗｅｂ）において，様々を情報が公開されている。利用者は，ネットワークを介してこのような情報を取得し，自分にとって有益な情報を活用する。例えば，利用者は，興味のある展示会やコンサートなどのイベントの開催情報を取得すると，その開催情報による開催日時や料金などからイベントなどを観覧するかどうかを決め，観覧すると決めた場合に開催情報による予約の期限や申し込みの期限までに予約等の手続きをする。このようなイベント等の開催情報は，一般にＷＷＷにおいて，不定期に新しい情報が古い情報に追加されることにより更新される。開催情報は，開催日時や予約期限などを過ぎる前に取得しなければ，情報としての価値をほとんど失う。そのため，利用者は，ネットワークを介して，更新された情報を価値のあるうちに取得する必要がある。
【０００３】
一方，イベント等の開催情報は，電子メールによって利用者に配信されることがある。また，会議の開催通知や，期限のある仕事の指示等は，利用者に電子メールにて通知されることが多い。この場合，利用者は，所定のタイミングで電子メールの到着を知ることができるため，電子メールによって配信される開催情報などを有効に活用することができる。それでも，大量の電子メールを送受信する利用者は，開催情報が含まれる電子メールが他の多くの電子メールの中に埋もれてしまい，開催情報などの電子メールを見落とすことや，一度読んでも探し出せない場合がある。
【０００４】
従来の電子掲示板装置として，例えば特開２０００−４９７７７号公報に示されたものがある。この文献に示された電子掲示板装置は，作成された又は読み込まれたホームページのコンテンツを送信するためのコンテンツ送信手段と，前記送信手段によって送信されたコンテンツを受付けて蓄積する受付手段と，前記受付手段に蓄積されたコンテンツを読み出し，入力される分類情報を当該コンテンツに対応付けて前記受付手段に返信する分類手段と，前記分類手段により返信された分類情報に基づいて，対応するコンテンツを外部から読出可能に登録する登録手段と，前記コンテンツの送信日および所定の掲載期間に基づいて，当該コンテンツを前記登録手段から削除する削除手段と，を備えることによって，単発的に作成され，短期間のみの掲載に適する情報を持つホームページであっても好適に掲載でき，ホームページの適用範囲を拡大し得る電子掲示板システムを提供するものである。
【０００５】
【特許文献１】
特開２０００−４９７７７号公報
【０００６】
【発明が解決しようとする課題】
ところで，上記従来の電子掲示板システムでは，（１）コンテンツの分類が操作者（審査員）によって行われるため登録までに時間が掛かるという問題点や，（２）掲載期間を掲載記事の内容に拘らず，受付日から所定の期間としているという問題点があった。
【０００７】
本発明は，従来の電子掲示板システムが有する上記問題点に鑑みてなされたものであり，本発明の主な目的は，登録時間を短縮すること，イベント毎に掲載期間の設定を可能にすること，さらには，掲載期間等の日時情報を修正することの可能な，新規かつ改良された電子掲示板システムを提供することである。
【０００８】
【課題を解決するための手段】
上記課題を解決するため，本発明の第１の観点によれば，掲載情報から自動的にカテゴリ分類分けを行うことの可能な電子掲示板システムが提供される。すなわち，本発明の電子掲示板システムは，以下の構成要素を含む（請求項１）。
・掲載情報を取得する情報取得手段（２１）
・掲載情報を自動的にカテゴリ別に分類するカテゴリ分類手段（２２）
・掲載情報のカテゴリ分類パターンを記憶するカテゴリ分類パターン記憶手段（３１）
・掲載情報から抽出した抽出情報を記憶する抽出情報記憶手段（３３）
・抽出情報記憶手段に記憶された掲載期間を参照し，必要な掲載情報を選択する情報選択手段（２５）
【０００９】
かかる構成によれば，カテゴリ分類パターン記憶手段（３１）とカテゴリ分類手段（２２）を設けることにより，カテゴリの自動振り分けが可能になり登録時間の短縮が可能となる。
【００１０】
さらに，掲載情報の全文を記憶する全文情報記憶手段（３４）を設けることにより，掲載情報の全文を全文情報記憶手段に記憶することが可能である（請求項２）。
【００１１】
また，電子メールの送受信手段（１１，１２）を設けることにより，電子メールによる掲載情報の登録，修正，削除を行うことが可能である（請求項３）。
【００１２】
また，上記課題を解決するため，本発明の第２の観点によれば，掲載情報から自動的に掲載情報を決定することの可能な電子掲示板システムが提供される。すなわち，本発明の電子掲示板システムは，以下の構成要素を含む。
・掲載情報を取得する情報取得手段（２１）
・日時等の抽出情報を自動的に抽出する情報抽出手段（２３）
・日時等の抽出パターンを記憶する抽出パターン記憶手段（３２）
・掲載情報から抽出した抽出情報を記憶する抽出情報記憶手段（３３）
・抽出情報記憶手段に記憶された掲載期間を参照し，必要な掲載情報を選択する情報選択手段（２５）
【００１３】
かかる構成によれば，情報抽出手段（２３）と抽出パターン記憶手段（３２）を設けることにより，メールの本文より掲載期間を抽出可能になり，イベント毎に掲載期間の設定が可能となる。
【００１４】
また，情報抽出手段（２３）が抽出した抽出情報を更新する抽出情報更新手段（２４）と，抽出情報の更新要求を受信する要求受信手段（１３）と，抽出情報の更新結果を送信する要求送信手段（１４）をさらに備えることも可能である（請求項５）。かかる構成によれば，抽出情報更新手段（２４）を設けることにより，情報抽出手段（２３）が誤って検出した掲載期間等の日時情報を修正することが可能となる。
【００１５】
さらに，掲載情報の全文を記憶する全文情報記憶手段（３４）を設けることにより，掲載情報の全文を全文情報記憶手段に記憶することが可能である（請求項６）。
【００１６】
また，電子メールの送受信手段（１１，１２）を設けることにより，電子メールによる掲載情報の登録，修正，削除を行うことが可能である（請求項７）。
【００１７】
また，上記課題を解決するため，本発明の第３の観点によれば，掲載情報から自動的にカテゴリ分類分けを行うことができ，さらに，自動的に掲載情報を決定したりすることの可能な電子掲示板システムが提供される。すなわち，本発明の電子掲示板システム（１００）は，以下の構成要素を含む（請求項８）。
・掲載情報を取得する情報取得手段（２１）
・掲載情報を自動的にカテゴリ別に分類するカテゴリ分類手段（２２）
・掲載情報のカテゴリ分類パターンを記憶するカテゴリ分類パターン記憶手段（３１）
・日時等の抽出情報を自動的に抽出する情報抽出手段（２３）
・日時等の抽出パターンを記憶する抽出パターン記憶手段（３２）
・掲載情報から抽出した抽出情報を記憶する抽出情報記憶手段（３３）
・抽出情報記憶手段に記憶された掲載期間を参照し，必要な掲載情報を選択する情報選択手段（２５）
【００１８】
かかる構成によれば，カテゴリ分類パターン記憶手段（３１）とカテゴリ分類手段（２２）を設けることにより，カテゴリの自動振り分けが可能になり登録時間の短縮が可能となる。また，情報抽出手段（２３）と抽出パターン記憶手段（３２）を設けることにより，メールの本文より掲載期間を抽出可能になり，イベント毎に掲載期間の設定が可能となる。
【００１９】
また，情報抽出手段（２３）が抽出した抽出情報を更新する抽出情報更新手段（２４）と，抽出情報の更新要求を受信する要求受信手段（１３）と，抽出情報の更新結果を送信する要求送信手段（１４）をさらに備えることも可能である（請求項９）。かかる構成によれば，抽出情報更新手段（２４）を設けることにより，情報抽出手段（２３）が誤って検出した掲載期間等の日時情報を修正することが可能となる。
【００２０】
さらに，掲載情報の全文を記憶する全文情報記憶手段（３４）を設けることにより，掲載情報の全文を全文情報記憶手段に記憶することが可能である（請求項１０）。
【００２１】
また，電子メールの送受信手段（１１，１２）を設けることにより，電子メールによる掲載情報の登録，修正，削除を行うことが可能である（請求項１１）。
【００２２】
また，本発明の他の観点によれば，コンピュータを，上記第１，第２あるいは第３の観点にかかる電子掲示板システムとして機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フロッピーディスク（ＦＤ：Ｆｌｏｐｐｙ  Ｄｉｓｋ）など，プログラムを記録可能な記録媒体として現在一般に用いられている記録媒体，あるいは将来用いられるいかなる記録媒体をも採用することができる。
【００２３】
なお上記において，括弧書きで記した構成要素は，理解を容易にするため，後述の実施形態における対応する構成要素を記したに過ぎず，本発明がこれに限定されるものではない。
【００２４】
【発明の実施の形態】
以下に添付図面を参照しながら，本発明にかかる電子掲示板システムの好適な実施の形態について詳細に説明する。なお，本明細書および図面において，実質的に同一の機能構成を有する構成要素については，同一の符号を付することにより重複説明を省略する。
【００２５】
図１は，本実施の形態にかかる電子掲示板システムの構成を示す説明図である。
電子掲示板システム１００は，図１に示すように，入出力部１と，処理部２と，記憶部３を含んで構成されている。以下，構成要素を順に説明する。
【００２６】
（入出力部１）
入出力部１は，電子メールの受信を行うメール受信部１１と，電子メールを送信するメール送信部１２と，Ｗｅｂからの要求を受信するＷｅｂ要求受信部１３と，Ｗｅｂからの要求結果を送信するＷｅｂ要求送信部１４から構成されている。
【００２７】
（処理部２）
処理部２は，メール受信部１１から受信した電子メールを取得する情報取得部２１と，情報取得部２１で取得した電子メールの内容からイベント情報など予め定められたカテゴリに分類分けするカテゴリ分類部２２と，情報取得部２１で取得した電子メールの内容から日時情報など予め定められた情報を抽出する情報抽出部２３と，Ｗｅｂ要求受信部１３で受信した更新要求を処理し，Ｗｅｂ要求送信部１４に更新結果を送信する抽出情報更新部２４と，Ｗｅｂ要求受信部１３で取得した情報選択要求を処理し，前記Ｗｅｂ要求送信部１４に選択結果を送信する情報選択部２５から構成されている。
【００２８】
（記憶部３）
記憶部３は，カテゴリ分類部２２が参照するイベント情報など予め定められたカテゴリ分類パターンを格納したカテゴリ分類パターン記憶部３１と，情報抽出部２３が参照する日時情報など予め定められた抽出パターンを格納した抽出パターン記憶部３２と，カテゴリ分類部２２と情報抽出部２３によって抽出された抽出情報を格納する抽出情報記憶部３３と，情報記憶部２１で取得した電子メールの内容を格納する全文情報記憶部３４から構成されている。
【００２９】
本実施の形態にかかる電子掲示板システム１００は，以上のように構成されている。次いで，図２〜図１０を参照しながら電子掲示板システム１００の動作について説明する。
【００３０】
（Ａ）掲載記事登録動作
まず，電子掲示板に掲載記事を登録する動作について，図２を参照しながら説明する。
【００３１】
ユーザは，掲載記事を電子メーラーを使用して作成し，例えば図３に示したような会議開催通知のメールを，電子掲示板システム１００宛（Ｐｏｓｔ＠Ｐｒｏｊｅｃｔ．ｃｏｍ）に送信する。メール受信部１１は，ユーザから送信された電子メールを受信する（ステップＳ１０１）。
【００３２】
情報取得部２１は，メール受信部１１で受信した電子メールの内容（図３）を取得する（ステップＳ１０２）。
【００３３】
カテゴリ分類部２２は，情報取得部２１で取得した電子メールの内容（図３）に対して，カテゴリ分類パターン記憶部３１に格納されているバターンと照合を行い，カテゴリ分類分けを行う（ステップＳ１０３）。カテゴリ分類パターンには，会議開催，セミナー案内などのイベント情報のパターンが登録されている。
【００３４】
情報抽出部２３は，情報取得部２１で取得した電子メールの内容（図３）に対して，抽出パターン記憶部に格納されている日時などのバターンと照合を行い，イベント情報の実施期間と掲載期間を決定する（ステップＳ１０４）。
【００３５】
情報取得部２１は，カテゴリ分類部２２と情報抽出部２３で得られた結果を抽出情報記憶部３３に格納する（ステップＳ１０５）。図４は，抽出情報記憶部３３における格納例を示している。この例では，ＩＤ，カテゴリ，掲載期間，実施期間，主旨などにカテゴリ分類された形式で，電子メールの内容が格納されている。
【００３６】
また，情報取得部２１は，メール受信部１１から取得した内容を全文記憶部３４に格納する（ステップＳ１０６）。図５は，情報取得部２１における格納例を示している。この例では，上記抽出情報記憶部３３に記憶されたのと同じＩＤと，それに対応する電子メールの全文が格納されている。
【００３７】
情報取得部２１は，メール送信部１２を介して，例えば図６に示したような抽出結果を送信者に返信する（ステップＳ１０７）。この抽出結果には，登録内容の変更・削除を行うためのＵＲＬ（Ｕｎｉｆｏｒｍ  Ｒｅｓｏｕｒｃｅ  Ｌｏｃａｔｏｒｓ）が記載されている。
【００３８】
（Ｂ）抽出結果修正動作
次に，電子掲示板システムの抽出結果を修正する動作について，図７を参照しながら説明する。
【００３９】
ユーザは，電子掲示板システムによって返信された図６の抽出結果のメールを受信する（ステップＳ２０１）。
【００４０】
抽出結果に対して修正を行うかどうかで処理が分岐する（ステップＳ２０２）。修正を行わない場合は，処理は完了する。
【００４１】
修正を行う場合は，返信されてきたメールに記載されている登録内容の変更・削除要求のＵＲＬをクリックし，抽出結果修正要求を電子掲示板システムに対して要求する（ステップＳ２０３）。
【００４２】
Ｗｅｂ要求受信部１３は，ユーザからの抽出結果修正要求を受信する（ステップＳ２０４）。
【００４３】
抽出情報更新部２４は，Ｗｅｂ要求受信部１３で受信したＵＲＬに付加された引数より修正を行う記事ＩＤを取得し，抽出情報記憶部３３および全文情報記憶部３４より記事ＩＤに該当する記事を取得し，例えば図８に示したような抽出結果修正画面を，Ｗｅｂ要求送信部１４を用いて送信する（ステップＳ２０５）。
【００４４】
ユーザは，図８の抽出結果修正画面に対して，実施期間・掲載期間・主旨の修正または，この記事の削除を行う（ステップＳ２０６）。
【００４５】
抽出情報更新部２４は，Ｗｅｂ要求受信部１４によって取得した修正・削除依頼に対して，抽出情報記憶部３３のデータ更新または，削除を行う（ステップＳ２０７）。
【００４６】
（Ｃ）掲載記事出力動作
最後に，電子掲示板システムの掲載記事を出力する動作について，図９を参照しながら説明する。
【００４７】
ユーザは，電子掲示板システムに対して，掲載記事出力の要求を送信する（ステップＳ３０１）。
【００４８】
Ｗｅｂ要求部受信部１３は，ユーザの掲載記事出力の要求を受信する（ステップＳ３０２）。
【００４９】
情報選択部２５は，抽出情報記憶部３３に格納されている掲載期間と，要求を受信した時間とを照合し，適合する記事ＩＤを取得する（ステップＳ３０３）。
【００５０】
情報選択部２５は，取得した記事ＩＤに対して，抽出情報記憶部３３および全文情報記憶部３４より記事ＩＤのデータを取り出し，例えば図１０に示したような掲載記事表示画面を作成し，Ｗｅｂ要求送信部１４を介して送信する。
【００５１】
以上説明したように，本実施の形態によれば，以下の効果が得られる。
（１）カテゴリ分類パターン記憶部３１とカテゴリ分類部２２を設けることにより，カテゴリの自動振り分けが可能になり登録時間の短縮が可能となる。
（２）情報抽出部２３と抽出パターン記憶部３２を設けることにより，メールの本文より掲載期間を抽出可能になり，イベント毎に掲載期間の設定が可能となる。
（３）抽出情報更新部２４を設けることにより，情報抽出部２３が誤って検出した掲載期間等の日時情報を修正することが可能となる。
【００５２】
以上，添付図面を参照しながら本発明にかかる電子掲示板システムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５３】
例えば，上記実施の形態においては，（１）カテゴリ分類パターン記憶部３１とカテゴリ分類部２２，（２）情報抽出部２３と抽出パターン記憶部３２，（３）抽出情報更新部２４のすべてを備えた構成について説明したが，本発明はこれに限定されない。例えば，（１）カテゴリ分類パターン記憶部３１とカテゴリ分類部２２を少なくとも備えることにより，カテゴリの自動振り分けが可能になり登録時間の短縮が可能となるという効果が得られる。また，（２）情報抽出部２３と抽出パターン記憶部３２を少なくとも備えることにより，掲載期間を抽出可能になり，イベント毎に掲載期間の設定が可能となるという効果が得られる。
【００５４】
【発明の効果】
以上説明したように，本発明によれば，以下の効果が得られる。
（１）カテゴリ分類パターン記憶手段とカテゴリ分類手段を設けることにより，カテゴリの自動振り分けが可能になり登録時間の短縮が可能となる。
（２）情報抽出手段と抽出パターン記憶手段を設けることにより，メールの本文より掲載期間を抽出可能になり，イベント毎に掲載期間の設定が可能となる。
（３）抽出情報更新手段を設けることにより，情報抽出手段が誤って検出した掲載期間等の日時情報を修正することが可能となる。
【図面の簡単な説明】
【図１】電子掲示板システム構成を示す説明図である。
【図２】掲載記事登録処理の流れを示す説明図である。
【図３】掲載記事の一例を示す説明図である。
【図４】抽出情報記憶部の一例を示す説明図である。
【図５】全文情報記憶部の一例を示す説明図である。
【図６】抽出結果返信メールの一例を示す説明図である。
【図７】抽出結果修正処理の流れを示す説明図である。
【図８】抽出結果修正画面の一例を示す説明図である。
【図９】掲載記事出力処理の流れを示す説明図である。
【図１０】掲載記事表示画面の一例を示す説明図である。
【符号の説明】
１  入出力部
２  処理部
３  記憶部
１１  メール受信部
１２  メール送信部
１３  Ｗｅｂ要求受信部
１４  Ｗｅｂ要求送信部
２１  情報取得部
２２  カテゴリ分類部
２３  情報抽出部
２４  抽出情報更新部
２５  情報選択部
３１  カテゴリ分類パターン記憶部
３２  抽出パターン記憶部
３３  抽出情報記憶部
３４  全文情報記憶部
１００  電子掲示板システム
【図１】
2004272539.tif 000003
【図２】
2004272539.tif 000004
【図３】
2004272539.tif 000005
【図４】
2004272539.tif 000006
【図５】
2004272539.tif 000007
【図６】
2004272539.tif 000008
【図７】
2004272539.tif 000009
【図８】
2004272539.tif 000010
【図９】
2004272539.tif 000011
【図１０】
2004272539.tif 000012